(57)【要約】【課題】  イメージが実現される画面部のパターンが必要に応じて変更される場合にも，変更された画面部パターンに対応して３次元映像を実現する立体映像表示装置を提供する。【解決手段】  立体映像表示装置は，光源及び光源から提供された光を選択的に透過／遮断する光制御機を含む。光制御機は，第１基板と，第１基板の第１方向に沿って任意の間隔を隔て，交互に配置されながら第１基板上に形成される第１，第２電極を含む。第１，第２電極は，各々第１基板の一側に沿って配置される第１，第２連結電極に電気的に連結される。光制御機は，第１基板と実質的に平行に配置される第２基板を含む。第２基板には，第１方向に垂直な第２方向に沿って任意の間隔をおいて交互に配置される第３，第４電極が形成され，第３，第４電極は，第２基板の一側に沿って配置される第３，第４連結電極に各々電気的に連結される。【選択図】図５
2006119634.tif 000002
【特許請求の範囲】
【請求項１】
使用者に立体映像を提供する立体映像表示装置において，
光源と，前記光源から提供された光を選択的に透過／遮断する光制御機とを含み，
前記光制御機は，
第１基板と；
前記第１基板の第１方向に沿って任意の間隔を隔て，前記第１基板上に形成される第１電極と；
前記第１電極の一側に配置され，前記第１電極に電気的に連結されながら前記第１電極と共に第１電極セットを構成する第１連結電極と；
前記第１方向に沿って前記第１電極の間に配置される第２電極と；
前記第２電極の一側に配置され，前記第２電極に電気的に連結されながら前記第２電極と共に第２電極セットを構成する第２連結電極と；
第２基板と；
前記第１方向に垂直方向である第２方向に沿って，任意の間隔を隔てて前記第２基板上に形成される第３電極と；
前記第３電極の一側に配置され，前記第３電極に電気的に連結されながら前記第３電極と共に第３電極セットを構成する第３連結電極と；
前記第２方向に沿って前記第３電極の間に配置される第４電極と；
前記第４電極の一側に配置され，前記第４電極に電気的に連結されながら前記第４電極と共に第４電極セットを構成する第４連結電極と；
前記第１基板と第２基板との間に配置される液晶と；
を含むことを特徴とする，立体映像表示装置。
【請求項２】
前記第１電極セットの第１電極が前記第２電極の間に少なくとも１つ配置されることを特徴とする，請求項１に記載の立体映像表示装置。
【請求項３】
前記第１電極が，前記第２電極の間にその数を均一にして配置されることを特徴とする，請求項２に記載の立体映像表示装置。
【請求項４】
前記第２電極セットの第２電極が前記第１電極の間に少なくとも１つ配置されることを特徴とする，請求項１に記載の立体映像表示装置。
【請求項５】
前記第２電極が，前記第１電極の間にその数を均一にして配置されることを特徴とする，請求項４に記載の立体映像表示装置。
【請求項６】
前記第３電極セットの第３電極が前記第４電極の間に少なくとも１つ配置されることを特徴とする，請求項１に記載の立体映像表示装置。
【請求項７】
前記第３電極が，前記第４電極の間にその数を均一にして配置されることを特徴とする，請求項６に記載の立体映像表示装置。
【請求項８】
前記第４電極セットの第４電極が前記第３電極の間に少なくとも１つ配置されることを特徴とする，請求項１に記載の立体映像表示装置。
【請求項９】
前記第４電極が，前記第３電極の間にその数を均一にして配置されることを特徴とする，請求項８に記載の立体映像表示装置。
【請求項１０】
前記第１基板が，一対の長辺と短辺を有する長方形に形成され，前記第１方向が第１基板の短辺に沿った方向であることを特徴とする，請求項１に記載の立体映像表示装置。
【請求項１１】
前記第１電極セットの第１電極，及び第２電極セットの第２電極がコモン電極であることを特徴とする，請求項１０に記載の立体映像表示装置。
【請求項１２】
前記第１電極と前記第２電極との間の間隔が６μｍ以下であることを特徴とする，請求項１１に記載の立体映像表示装置。
【請求項１３】
前記第２基板が一対の長辺と短辺を有する長方形に形成され，前記第２方向が第２基板の長辺に沿った方向であることを特徴とする，請求項１に記載の立体映像表示装置。
【請求項１４】
前記第３電極セットの第３電極及び第４電極セットの第４電極がセグメント電極であることを特徴とする，請求項１３に記載の立体映像表示装置。
【請求項１５】
前記第３電極と前記第４電極との間の間隔が６μｍ以下であることを特徴とする，請求項１４に記載の立体映像表示装置。
【請求項１６】
前記立体映像表示装置は，左眼映像情報と右眼映像情報をディスプレイするイメージャーを含み，前記イメージャーが前記光源と前記光制御機との間に配置されることを特徴とする，請求項１に記載の立体映像表示装置。
【請求項１７】
前記立体映像表示装置は，左眼映像情報と右眼映像情報をディスプレイするイメージャーを含み，前記光制御機が前記光源と前記イメージャーとの間に配置されることを特徴とする，請求項１に記載の立体映像表示装置。
【請求項１８】
前記イメージャーが液晶表示パネルであることを特徴とする，請求項１６に記載の立体映像表示装置。
【請求項１９】
前記イメージャーが液晶表示パネルであることを特徴とする，請求項１７に記載の立体映像表示装置。
【請求項２０】
前記第１電極，第２電極，第３電極，及び第４電極がストライプパターンを形成することを特徴とする，請求項１に記載の立体映像表示装置。
【請求項２１】
前記第１セット電極，第２セット電極，第３セット電極，及び第４セット電極が櫛形状に形成されることを特徴とする，請求項１に記載の立体映像表示装置。
【請求項２２】
使用者に立体映像を提供する立体映像表示装置において，
光源と，前記光源から提供された光を選択的に透過／遮断する光制御機と，を含み，
前記光制御機は，
第１基板と；
前記第１基板の全面に形成される一体型電極と；
第２基板と；
前記第２基板の一方向に沿って配置される母電極部と，前記母電極部より分かれて形成される複数の分岐電極部とを含み，前記第２基板上に互いに絶縁した状態で多重配置される前記分枝型電極と；
前記第１基板と第２基板との間に配置される液晶と；
を含み，
前記分枝型電極の分岐電極部が互いに垂直状態で交差配置されることを特徴とする，立体映像表示装置。
【請求項２３】
前記分枝型電極の母電極部が互いに垂直状態で交差配置されることを特徴とする，請求項２２に記載の立体映像表示装置。
【請求項２４】
前記分枝型電極のいずれか一つの分枝型電極の母電極部が，他の一つの分枝型電極の分岐電極部と平行な状態で配置されることを特徴とする，請求項２３に記載の立体映像表示装置。
【請求項２５】
前記立体映像表示装置は，左眼映像情報と右眼映像情報をディスプレイするイメージャーを含み，前記イメージャーが前記光源と前記光制御機との間に配置されることを特徴とする，請求項２２に記載の立体映像表示装置。
【請求項２６】
前記立体映像表示装置は，左眼映像情報と右眼映像情報をディスプレイするイメージャーを含み，前記光制御機が前記光源と前記イメージャーとの間に配置されることを特徴とする，請求項２２に記載の立体映像表示装置。
【請求項２７】
前記イメージャーが液晶表示パネルであることを特徴とする，請求項２５に記載の立体映像表示装置。
【請求項２８】
前記イメージャーが液晶表示パネルであることを特徴とする，請求項２６に記載の立体映像表示装置。
【請求項２９】
前記分岐電極部がストライプパターンを形成することを特徴とする，請求項２２に記載の立体映像表示装置。
【請求項３０】
請求項１〜２１のいずれかに記載の立体映像表示装置を含む画面部と，
前記画面部が回転可能であるように設置される本体と，
を含むことを特徴とする，電子機器。
【請求項３１】
前記電子機器が携帯電話であることを特徴とする，請求項３０に記載の電子機器。
【請求項３２】
前記電子機器がモニタであることを特徴とする，請求項３０に記載の電子機器。
【請求項３３】
請求項２２〜２９のいずれかに記載の立体映像表示装置を含む画面部と，
前記画面部が回転可能であるように設置される本体と，
を含むことを特徴とする，電子機器。
【請求項３４】
前記電子機器が携帯電話であることを特徴とする，請求項３３に記載の電子機器。
【請求項３５】
前記電子機器がモニタであることを特徴とする，請求項３３に記載の電子機器。
【請求項３６】
第１基板と；
前記第１基板の第１方向に沿って任意の間隔を隔て，前記第１基板上に形成される第１電極と；
前記第１電極の一側に配置され，前記第１電極に電気的に連結されながら前記第１電極と共に第１電極セットを構成する第１連結電極と；
前記第１方向に沿って前記第１電極の間に配置される第２電極と；
前記第２電極の一側に配置され，前記第２電極に電気的に連結されながら前記第２電極と共に第２電極セットを構成する第２連結電極と；
第２基板と；
前記第１方向に垂直方向である第２方向に沿って任意の間隔を隔て，前記第２基板上に形成される第３電極と；
前記第３電極の一側に配置され，前記第３電極に電気的に連結されながら前記第３電極と共に第３電極セットを構成する第３連結電極と；
前記第２方向に沿って前記第３電極の間に配置される第４電極と；
前記第４電極の一側に配置され，前記第４電極に電気的に連結されながら前記第４電極と共に第４電極セットを構成する第４連結電極と；
前記第１基板と第２基板との間に配置される液晶と；
を含む光制御機を含む立体映像表示装置の駆動方法において，
前記光制御機が一定の位置を維持する第１モードにおいて，前記第１電極セット及び前記第２電極セットに基準電圧を印加する間，前記第３電極セット及び前記第４電極セットのうちのいずれか一つの電極セットを選択して，これに左眼映像と右眼映像を分離するためのデータ電圧を印加し，
前記光制御機が前記位置で回転して他の位置を維持する第２モードにおいて，前記第３電極セット及び前記第４電極セットに基準電圧を印加する間，前記第１電極セット及び前記第２電極セットのうちのいずれか一つの電極セットを選択して，これに左眼映像と右眼映像を分離するためのデータ電圧を印加する段階を含むことを特徴とする，立体映像表示装置の駆動方法。
【請求項３７】
第１基板と；
前記第１基板の全面に形成される一体型電極と；
第２基板と；
前記第２基板の一方向に沿って配置される母電極部と，前記母電極部より分かれて形成される複数の分岐電極部とを含み，前記第２基板上に互いに絶縁した状態で多重配置される前記分枝型電極と；
前記第１基板と第２基板との間に配置される液晶と；
を含み，
前記分枝型電極の分岐電極部が互いに垂直状態で交差配置される光制御機を含む立体映像表示装置の駆動方法において，
前記光制御機が一定の位置を維持する第１モードにおいて，前記一体型電極に基準電圧を印加する間，前記分枝型電極のうちのいずれか一つの分枝型電極を選択して，これに左眼映像と右眼映像を分離するためのデータ電圧を印加し，
前記光制御機が前記位置で回転して他の位置を維持する第２モードにおいて，前記一体型電極に基準電圧を印加する間，前記分枝型電極のうちの他の一つの分枝型電極を選択して，これに左眼映像と右眼映像を分離するためのデータ電圧を印加する段階を含むことを特徴とする，立体映像表示装置の駆動方法。
【請求項３８】
映像が実現されるイメージャーと，前記映像を左眼用映像と右眼用映像に分離して，使用者の左眼と右眼に提供する液晶バリアと，を含み，
前記液晶バリアが，
第１基板と；
前記第１基板の第１方向に沿って任意の間隔を隔て，前記第１基板上に形成される第１電極と；
前記第１電極の一側に配置され，前記第１電極に電気的に連結されながら前記第１電極と共に第１電極セットを構成する第１連結電極と；
前記第１方向に沿って前記第１電極の間に配置される第２電極と；
前記第２電極の一側に配置され，前記第２電極に電気的に連結されながら前記第２電極と共に第２電極セットを構成する第２連結電極と；
第２基板と；
前記第１方向に垂直方向である第２方向に沿って任意の間隔を隔て，前記第２基板上に形成される第３電極と；
前記第３電極の一側に配置され，前記第３電極に電気的に連結されながら前記第３電極と共に第３電極セットを構成する第３連結電極と；
前記第２方向に沿って前記第３電極の間に配置される第４電極と；
前記第４電極の一側に配置され，前記第４電極に電気的に連結されながら前記第４電極と共に第４電極セットを構成する第４連結電極と；
前記第１基板と第２基板との間に配置される液晶と；
を含むことを特徴とする，立体映像表示装置。
【請求項３９】
前記第１電極セットの第１電極が，前記第２電極の間に少なくとも１つ配置されることを特徴とする，請求項３８に記載の立体映像表示装置。
【請求項４０】
前記第１電極が前記第２電極の間にその数を均一にして配置されることを特徴とする，請求項３９に記載の立体映像表示装置。
【請求項４１】
前記第２電極セットの第２電極が，前記第１電極の間に少なくとも１つ配置されることを特徴とする，請求項３８に記載の立体映像表示装置。
【請求項４２】
前記第２電極が前記第１電極の間にその数を均一にして配置されることを特徴とする，請求項４１に記載の立体映像表示装置。
【請求項４３】
前記第３電極セットの第３電極が前記第４電極の間に少なくとも１つ配置されることを特徴とする，請求項３８に記載の立体映像表示装置。
【請求項４４】
前記第３電極が前記第４電極の間にその数を均一にして配置されることを特徴とする，請求項４３に記載の立体映像表示装置。
【請求項４５】
前記第４電極セットの第４電極が前記第３電極の間に少なくとも１つ配置されることを特徴とする，請求項３８に記載の立体映像表示装置。
【請求項４６】
前記第４電極が前記第３電極の間にその数を均一にして配置されることを特徴とする，請求項４５に記載の立体映像表示装置。
【請求項４７】
前記第１基板が一対の長辺と短辺を有する長方形に形成され，前記第１方向が第１基板の短辺に沿った方向であることを特徴とする，請求項３８に記載の立体映像表示装置。
【請求項４８】
前記第１電極セットの第１電極及び第２電極セットの第２電極がコモン電極であることを特徴とする，請求項４７に記載の立体映像表示装置。
【請求項４９】
前記第１電極と前記第２電極との間の間隔が６μｍ以下であることを特徴とする，請求項４８に記載の立体映像表示装置。
【請求項５０】
前記第２基板が一対の長辺と短辺を有する長方形に形成され，前記第２方向が第２基板の長辺に沿った方向であることを特徴とする，請求項３８に記載の立体映像表示装置。
【請求項５１】
前記第３電極セットの第３電極及び第４電極セットの第４電極がセグメント電極であることを特徴とする，請求項５０に記載の立体映像表示装置。
【請求項５２】
前記第３電極と前記第４電極との間の間隔が６μｍ以下であることを特徴とする，請求項５１に記載の立体映像表示装置。
【請求項５３】
前記第１電極，第２電極，第３電極，及び第４電極がストライプパターンを形成することを特徴とする，請求項３８に記載の立体映像表示装置。
【請求項５４】
前記第１セット電極，第２セット電極，第３セット電極，及び第４セット電極が櫛形状に形成されることを特徴とする，請求項３８に記載の立体映像表示装置。
【請求項５５】
映像が実現されるイメージャーと，前記映像を左眼用映像と右眼用映像に分離して，使用者の左眼と右眼に提供する液晶バリアと，を含み，
前記液晶バリアは，
第１基板と；
前記第１基板の全面に形成される一体型電極と；
第２基板と；
前記第２基板の一方向に沿って配置される母電極部と，前記母電極部より分かれて形成される複数の分岐電極部とを含み，前記第２基板上に互いに絶縁した状態で多重配置される前記分枝型電極と；
前記第１基板と第２基板との間に配置される液晶と；
を含み，
前記分枝型電極の分岐電極部が互いに垂直状態で交差配置されることを特徴とする，立体映像表示装置。
【請求項５６】
前記分枝型電極の母電極部が互いに垂直状態で交差配置されることを特徴とする，請求項５５に記載の立体映像表示装置。
【請求項５７】
前記分枝型電極のいずれか一つの分枝型電極の母電極部が，他の一つの分枝型電極の分岐電極部と平行な状態で配置されることを特徴とする，請求項５６に記載の立体映像表示装置。
【請求項５８】
前記分岐電極部がストライプパターンを形成することを特徴とする，請求項５６に記載の立体映像表示装置。
【発明の詳細な説明】
【技術分野】
【０００１】
本発明は立体映像表示装置，電子機器，及び立体映像表示装置の駆動方法に係り，特に，液晶バリアタイプの光遮断／透過モジュールを使用して立体映像を実現する立体映像表示装置，電子機器，及び立体映像表示装置の駆動方法に関するものである。
【背景技術】
【０００２】
一般的に，立体映像表示装置は，使用者の左眼と右眼に互いに異なるイメージを提供して，使用者が見る映像に距離感と立体感を感じさせる装置であって，使用者が偏光眼鏡のような装備を別途に着用しなくても立体映像を視聴することができる自動立体鏡（auto stereoscopic）装置が公知されている。
【０００３】
通常の自動立体鏡装置は，レンチキュラーレンズやパララックスバリアのような光学的分離素子を用い，イメージ表示部で実現された左眼用と右眼用イメージを各々使用者の左眼と右眼方向に空間分割する方式を採択して，使用者に立体画像を提供する。
【０００４】
一方，近来の消費者の欲求に従い，モニタや携帯電話などにおいては，イメージが実現される画面部の模様が左右の横に長いランドスケープ（landscape）タイプ（以下では，便宜上，ランドスケープタイプと称する）や，上下に長いポートレイト（portrait）タイプ（以下では，便宜上，ポートレイトタイプと称する）のうちのいずれか一つに固定されず，両方を全て選択して用いることができるように提供されている。ここで，通常前記画面部のパターンの変更は，この画面部が前記電子機器を構成する本体上で機構的に回転（９０度）されることによって行われる。
【０００５】
このような電子機器の発展傾向に合わせて前記立体画像表示装置もまた前記画面部の各パターンに対応し，それに相応する立体映像を提供できるのであれば何より高い使用満足度を消費者に提供することができるが，現在まで開発された立体画像表示装置は前記分離素子の構造的な限界により，前記両方の画面部タイプのうちのいずれか一つのタイプでのみ立体映像を提供しているだけである。
【０００６】
したがって，消費者は，一つの電子機器を通じて様々な画面部のパターンで，この画面部で実現される画面を２次元的又は３次元的な視聴を所望しているが，現実的にはこれを実現する立体映像表示装置がないため，その研究開発が至急な実情である。
【発明の開示】
【発明が解決しようとする課題】
【０００７】
したがって，本発明は前記問題点を勘案したものであって，イメージが実現される画面部のパターンが必要に応じて変更される場合にも，その変更された画面部パターンに対応して３次元映像を実現することができるようにした立体映像表示装置を提供する。また，本発明は前記映像表示装置を含む電子機器を提供する。
【課題を解決するための手段】
【０００８】
本発明による立体映像表示装置は，使用者に立体映像を提供する立体映像表示装置において，光源，及び前記光源から提供された光を選択的に透過／遮断する光制御機を含む。前記光制御機は，第１基板と，この第１基板の第１方向に沿って任意の間隔を隔て，前記第１基板上に形成される第１電極と，この第１電極の一側に配置され，この第１電極に電気的に連結されながらこの第１電極と共に第１電極セットを構成する第１連結電極と，前記第１方向に沿って前記第１電極の間に配置される第２電極と，この第２電極の一側に配置され，この第２電極に電気的に連結されながらこの第２電極と共に第２電極セットを構成する第２連結電極とを含む。
【０００９】
また，前記光制御機は，第２基板と，前記第１方向に垂直方向である第２方向に沿って任意の間隔を隔て，前記第２基板上に形成される第３電極と，この第３電極の一側に配置され，この第３電極に電気的に連結されながらこの第３電極と共に第３電極セットを構成する第３連結電極と，前記第２方向に沿って前記第３電極の間に配置される第４電極と，前記第４電極の一側に配置され，この第４電極に電気的に連結されながらこの第４電極と共に第４電極セットを構成する第４連結電極と，及び前記第１基板と第２基板の間に配置される液晶とを含む。
【００１０】
前記第１電極セットの第１電極は前記第２電極の間に少なくとも１に配置され，この時，この第１電極は前記第２電極の間にその数を均一にして配置される。
【００１１】
前記第２電極セットの第２電極は前記第１電極の間に少なくとも１に配置され，この時，この第２電極は前記第１電極の間にその数を均一にして配置される。
【００１２】
前記第３電極セットの第３電極は前記第４電極の間に少なくとも１に配置され，この時，この第３電極は前記第４電極の間にその数を均一にして配置される。
【００１３】
前記第４電極セットの第４電極は前記第３電極の間に少なくとも１に配置され，この時，この第４電極は前記第３電極の間にその数を均一にして配置される。
【００１４】
前記第１基板は一対の長辺と短辺を有する長方形に形成され，前記第１方向は前記第１基板の短辺に沿った方向に対応できる。ここで，前記第１電極セットの第１電極及び第２電極セットの第２電極はコモン電極である。
【００１５】
また，前記第２基板は一対の長辺と短辺を有する長方形に形成され，前記第２方向は前記第２基板の長辺に沿った方向に対応できる。ここで，前記第３電極セットの第３電極及び第４電極セットの第４電極はセグメント電極である。
【００１６】
また，前記立体映像表示装置は，左眼映像情報と右眼映像情報をディスプレイするイメージャー（Imager）を含み，このイメージャーは前記光源と前記光制御機との間に配置される。
【００１７】
また，前記立体映像表示装置は，左眼映像情報と右眼映像情報をディスプレイするイメージャーを含み，前記光制御機は前記光源と前記イメージャーとの間に配置される。ここで，このイメージャーは液晶表示パネルに構成されることができる。
【００１８】
前記第１セット電極，第２セット電極，第３セット電極，及び第４セット電極は櫛形状に形成されることができる。
【００１９】
また，本発明による立体映像表示装置は，使用者に立体映像を提供する立体映像表示装置において，光源，及び前記光源から提供された光を選択的に透過／遮断する光制御機を含む。
【００２０】
前記光制御機は，第１基板と，この第１基板の全面に形成される一体型電極と，第２基板と，この第２基板の一方向に沿って配置される母電極部，及びこの母電極部より分かれて形成される複数の分岐電極部を含み，前記第２基板上に互いに絶縁した状態で多重配置される前記分枝型電極と，並びに前記第１基板と第２基板との間に配置される液晶とを含む。前記分枝型電極の分岐電極部は互いに垂直状態で交差配置される。
【００２１】
前述において，分枝型電極の母電極部は互いに垂直状態で交差配置される。
【００２２】
前記分枝型電極のいずれか一つの分枝型電極の母電極部は，他の一つの分枝型電極の分岐電極部と平行な状態で配置される。
【００２３】
また，本発明による転嫁機器は，前記立体映像表示装置を含む画面部と，この画面部が回転可能であるように設置される本体とを含んで構成される。
【００２４】
このような電子機器は，携帯電話のようなモバイル（mobile）用やモニタのような事務用機器にも構成されることができる。
【００２５】
また，本発明による立体映像表示装置の駆動方法は，前記光制御機が一定の位置を維持する第１モードにおいて，前記第１電極セット及び前記第２電極セットに基準電圧（reference voltage）を印加する間，前記第３電極セット及び前記第４電極セットのうちのいずれか一つの電極セットを選択して，これに左眼映像と右眼映像を分離するためのデータ電圧を印加し，前記光制御機が前記位置で回転して他の位置を維持する第２モードにおいて，前記第３電極セット及び前記第４電極セットに基準電圧を印加する間，前記第１電極セット及び前記第２電極セットのうちのいずれか一つの電極セットを選択して，これに左眼映像と右眼映像を分離するためのデータ電圧を印加する段階を含む。
【００２６】
また，本発明による立体映像表示装置の駆動方法は，前記光制御機が一定の位置を維持する第１モードにおいて，前記一体型電極に基準電圧を印加する間，前記分枝型電極のうちのいずれか一つの分枝型電極を選択して，これに左眼映像と右眼映像を分離するためのデータ電圧を印加し，前記光制御機が前記位置で回転して他の位置を維持する第２モードにおいて，前記一体型電極に基準電圧を印加する間，前記分枝型電極のうちの他の一つの分枝型電極を選択して，これに左眼映像と右眼映像を分離するためのデータ電圧を印加する段階を含む。
【発明の効果】
【００２７】
本発明は，画面部がいかなる状態（ポートレイト又はランドスケープ状態）を維持してもそれに応じた３次元映像を使用者に提供することができるので，ディスプレイに対する使用者の時代的欲求を充足するという効果を有する。
【発明を実施するための最良の形態】
【００２８】
以下に添付図面を参照しながら，本発明の好適な実施形態について詳細に説明する。なお，本明細書および図面において，実質的に同一の機能構成を有する構成要素については，同一の符号を付することにより重複説明を省略する。
【００２９】
（第１の実施形態）
図１は，本実施形態にかかる立体映像表示装置が適用された電子機器を示した斜視図である。図示のように，前記電子機器は，モバイル用電子機器の一つである携帯電話である。もちろん，本発明がモバイル用電子機器に構成される場合，前記携帯電話にのみ構成されるわけではなく，個人携帯用端末機（ＰＤＡ）のような他の電子機器にも適用できる。
【００３０】
周知のように，前記携帯電話１は，所定のイメージが表示される画面部１０と，この画面部１０が連結設置される本体１２とで構成される。ここで，前記画面部１０は液晶表示装置をディスプレイとして備えて構成されることができ，前記本体１２上には入力装置としてキーボード１４が設置されることができる。
【００３１】
このような携帯電話１は，図２に示したように，前記画面部１０を前記本体１２上で所定の角度，例えば９０度回転させて，前記画面部１０で実現されるイメージを使用者に提供することができる。
【００３２】
つまり，前記携帯電話１は，図１の状態では，前記画面部１０をポートレイトタイプの状態（以下，説明の便宜上，第１モードとする。）に維持してこの画面部１０で実現されるイメージを使用者に提供し，前記画面部１０が９０度回転した図２のような状態では，前記画面部１０をランドスケープタイプの状態（以下，説明の便宜上，第２モードとする。）に維持してこの画面部１０で実現されるイメージを使用者に提供する。
【００３３】
ここで，前記画面部１０が前記本体１２上で回転する構造は公知のものであるので，本明細書ではその説明を省略する。
【００３４】
図３は，本発明の第１の実施形態による画像表示装置を概略的に示した構成図であって，この画像表示装置は前記画面部１０を構成する。
【００３５】
図示のように，前記画像表示装置は，光源２０と，この光源２０の一側に配置され，この光源２０より発光した光を受けて所定のイメージを表示するイメージャー２２と，このイメージャー２２の一側に配置され，使用者が前記画面部１０より３次元の映像を表示するように前記携帯電話１を操作する場合，前記イメージャー２２で実現される映像を左眼用映像と右眼用映像に分離する光制御機２４とを含む。
【００３６】
ここで，前記光源２０は，発光ダイオード（ＬＥＤ）より発光した点光源を導光板を通じて面光源に変換させて前記イメージャー２２に提供する構成であってもよいが，本発明でのこの光源２０の構成が必ずこれに限定されるものではない。例えば，前記電子機器が液晶モニタのような他の装置に構成される場合，蛍光ランプ（ＣＣＦＬ又はＥＥＬＦ）のようなランプを使用して光を放出させる他の構成も可能である。
【００３７】
前記イメージャー２２は，本実施形態で液晶表示パネルの構成でなり，カラーフィルターを通じてその実現イメージをカラーに実現することができる。このイメージャー２２は３次元映像を実現時，図４Ａ及び図４Ｂに示したような左眼用映像に対応するピクセル（ＬＲ，ＬＧ，ＬＢ）と右眼用映像に対応するピクセル（ＲＲ，ＲＧ，ＲＢ）を配列させる。
【００３８】
図４Ａは，前記第１モードの際，前記イメージャー２２が有する左眼用映像のピクセル（ＬＲ，ＬＧ，ＬＢ）と右眼用映像のピクセル（ＲＲ，ＲＧ，ＲＢ）の配列を，図４Ｂは，前記第２モードの際，前記イメージャー２２が有する左眼用映像のピクセル（ＬＲ，ＬＧ，ＬＢ）と右眼用映像のピクセル（ＲＲ，ＲＧ，ＲＢ）の配列を示している。
【００３９】
本発明において右眼用映像と左眼用映像に対するイメージの分離は，前記のようにＲ，Ｇ，Ｂサブピクセルを一つのピクセルとし，これを分離単位にすることができるのはもちろん，Ｒ，Ｇ，Ｂサブピクセルのうちのいずれか一つのサブピクセル又は２個のピクセルを分離単位にすることもでき，他の一方では，４個以上のサブピクセルを分離単位に基準にすることもできる。
【００４０】
同時に，図４Ａ及び図４Ｂでは，便宜上Ｒ，Ｇ，Ｂカラーを基準にしてサブピクセルを示したが，本発明が必ずフルカラーイメージのみを実現する電子機器に適用されることはないので，前記サブピクセルに対応するカラーは，白黒モードや他の単純カラーを実現する色にも適用できる。
【００４１】
前記でイメージャー２２の液晶表示パネルの構成は周知のことであるので，その詳細な説明は省略する。
【００４２】
前記光制御機２４は，前記光源２４より発光した光を，より具体的に，前記イメージャー２２で実現される左眼用映像に対応する光と，右眼用映像に対応する光を透過又は遮断してこれを使用者に提供することにより，使用者が前記イメージャー２２で実現される映像を３次元に感じられるようにする役割を果たす。
【００４３】
前記光制御機２４の以下の説明によれば分かるように，液晶駆動によって前記イメージャー２２を通じて出る光を透過又は遮断するので，いわゆる液晶バリアと称することもできる。
【００４４】
図５は，前記光制御機２４の構成を説明するために示した断面図であって，図示のように，この光制御機２４は，まず任意の間隔を隔てて配置される２枚の第１基板２４ａ及び第２基板２４ｂを含む。本実施形態でこの第１，第２基板２４ａ，２４ｂは，一対の短辺と長辺を有する長方形模様のガラスで構成される。
【００４５】
ここで，前記第１基板２４ａと第２基板２４ｂとが互いに対向する各々の面には，前記第１基板２４ａと第２基板２４ｂとの間に配置される液晶２４ｃを駆動させるための電極が形成される。この電極はインジウム鈴酸化物（ＩＴＯ）のような透明材質で構成できるものであって，以下では，前記電極について具体的に説明する。
【００４６】
まず，前記第１基板２４ａの一面に形成される電極は，図６Ａに示したように，前記第１基板２４ａの第１方向（この第１基板の短辺に対応する方向である，図６Ａに表示されたＸ方向）に沿って配置される複数の第１電極２４ｄを含む。この第１電極２４ｄはストライプパターンを形成し，彼らの間に任意の間隔をおいて前記第１基板２４ａに配列される。このような第１電極２４ｄは前記第１基板２４ａの一側（図面の左側）に配置される第１連結電極２４ｅに連結されて，この第１連結電極２４ｅと共に第１電極セット（Ｓｅｔ１）を構成する。
【００４７】
これと同様に，前記第１基板２４ａ上には第２電極セット（Ｓｅｔ２）がさらに形成される。この第２電極セット（Ｓｅｔ２）は，前記第１方向（Ｘ）に沿って前記第１電極２４ｄの間に配置される第２電極２４ｆと，前記第２電極２４ｆに連結され，前記第１連結電極２４ｅに対向して前記第１基板２４ａの他の一側（図面の右側）に配置される第２連結電極２４ｇとを含む。
【００４８】
前記第１電極セット（Ｓｅｔ１）及び第２電極セット（Ｓｅｔ２）は，前記イメージャー２２のアクティブ領域に対応する領域全体を実質的に覆うように前記第１基板２４ａ上に形成され，前記第１電極２４ｄと前記第２電極２４ｆとの間の間隔は６μｍ以下に維持されるのが好ましい。
【００４９】
これと同様に，前記第２基板２４ｂ上には，前記第１基板２４ａに対向する面に第３電極セット（Ｓｅｔ３）と第４電極セット（Ｓｅｔ４）が形成される。
【００５０】
この時，この第３電極セット（Ｓｅｔ３）及び第４電極セット４もまた，前記第２基板２４ｂの一方向に沿って任意の間隔を隔てて配置される複数の第３電極２４ｈ，第４電極２４ｉ，及びこの第３電極２４ｈと第４電極２４ｉに連結される第３連結電極２４ｊ，及び第４連結電極２４ｋを含む。
【００５１】
ここで，前記第３電極２４ｈと第４電極２４ｉは前述した第１，第２電極２４ｄ，２４ｆとは異なって，前記第１方向（Ｘ）に対して垂直方向（Ｙ），つまり前記第２基板２４ｂの長辺に沿ってストライプパターンを維持して配置される。つまり，前記第１電極２４ｄ，第２電極２４ｆと前記第３電極２４ｈ，第４電極２４ｉとは，互いに前記第１基板２４ａと第２基板２４ｂとが結合された場合に垂直状態で交差配置される。
【００５２】
前記第２基板２４ｂ上においても，第３電極セット（Ｓｅｔ３）及び第４電極セット（Ｓｅｔ４）は，前記イメージャー２２のアクティブ領域に対応する領域全体を実質的に覆うように前記第２基板２４ｂに形成され，前記第３電極２４ｈと前記第４電極２４ｉとの間の間隔は６μｍ以下に維持されるのが好ましい。
【００５３】
本実施形態で前記第１電極２４ｄは，前記第２電極２４ｆの間にその数を一つにして前記第１基板２４ａ上に均一に配置され，前記第２電極２４ｆも，前記第１電極２４ｄの間にその数を一つにして前記第１基板２４ａ上に均一に配置されるが，その構造が必ずしもこれに限定されるわけではない。必要に応じて，前記第１電極２４ｄ及び前記第２電極２４ｆは，各々前記第２電極２４ｆの間及び第１電極２４ｄの間にその数を一つ以上にして配置されることができ，さらに，その配置数を均一にせずにある箇所では一つにし，ある箇所では一つ以上とするなど，その差をおいて不均一に配置されることもできる。
【００５４】
このような構造は，前記第３電極２４ｈ及び第４電極２４ｉにも同様に適用できる。
【００５５】
本実施形態で，前記第１電極セット（Ｓｅｔ１）と前記第２電極セット（Ｓｅｔ２）はコモン（common）電極をなし，前記第３電極セット（Ｓｅｔ３）と前記第４電極セット（Ｓｅｔ４）はセグメント（Segment）電極をなすが，必要に応じてこれと反対に構成されることもできる。
【００５６】
前記のように構成される光制御機２４を含む立体画像表示装置の作用を説明すると，まず，前記携帯電話１が前記画面部１０を図１に示した状態と同一な状態で，前記画面部１０が縦方向に長く配置されたポートレイト状態，つまり，第１モード状態に維持した後で使用者が３次元映像モードを選択すれば，前記コモン電極，つまり前記第１電極セット（Ｓｅｔ１）及び前記第２電極セット（Ｓｅｔ２）には，図７Ａに示したように基準電圧が印加される。実質的にこの基準電圧は，前記第１電極セット（Ｓｅｔ１）の第１連結電極２４ｅと前記第２電極セット（Ｓｅｔ２）の第２連結電極２４ｇを通じて，前記第１電極セット（Ｓｅｔ１）の第１電極２４ｄ及び前記第２電極セット（Ｓｅｔ２）の第２電極２４ｆに印加され，これはグラウンド（ground）処理することによって行われることができる。
【００５７】
これと同時に，前記第３電極セット（Ｓｅｔ３）又は前記第４電極セット（Ｓｅｔ４）のうちのいずれか一つの電極セットに，前記イメージャー２２で実現される映像が使用者の左眼と右眼に，左眼用映像と右眼用映像に分離されて使用者に提供できるように，データ電圧が印加される。
【００５８】
本実施形態では，図７Ｂに示したように，前記第４電極セット（Ｓｅｔ４）に所定の電圧値を有するデータ電圧が印加される。
【００５９】
このように前記第１電極セット（Ｓｅｔ１）及び前記第２電極セット（Ｓｅｔ２）には基準電圧が印加され，前記第４電極セット（Ｓｅｔ４）にデータ電圧が印加されれば，この第４電極セット（Ｓｅｔ４）の第４電極２４ｉラインに対応する液晶が駆動される。
【００６０】
したがって，前記イメージャー２２の左眼用映像と右眼用映像に対応するピクセルから発光する光は，前記光制御機２４を経る過程で，前記液晶が駆動される部位（前記第４電極のライン部位）には通過し，液晶が駆動されない部位（前記３電極のライン部位）には遮断される。
【００６１】
つまり，図８に示したように，前記光は前記光制御機２４の作用により，左眼用映像と右眼用映像に分離されて使用者の左眼と右眼に各々提供され，したがって使用者は３次元の映像を感じることができる。
【００６２】
一方，前記でデータ電圧が前記第３電極セット（Ｓｅｔ３）に印加される場合には，この第３電極セット（Ｓｅｔ３）の第４電極２４ｈの位置に対応する液晶が駆動するようになる。
【００６３】
つまり，この場合には，駆動液晶の位置が前記場合に比べて前記第４電極２４ｉの位置ほど移動するため，実質的な前記光制御機２４の光遮断部と光透過部の位置も前記場合と異なるようになり，使用者は，前記場合とは異なった位置から各々の左眼と右眼に該当する映像を受けて３次元映像を最終的に得るわけである。
【００６４】
次に，前記画面部１０が第２モードに変換された場合について説明する。
【００６５】
使用者が前記画面部１０を図２のように回転させて前記画面部１０を横方向に長く配置してランドスケープ状態（前記第２モード状態）に変換すれば，前記第１，第２基板２４ａ，２４ｂに形成された各電極セットも図９Ａ及び図９Ｂに示したように各々回転して，前述した第１モード状態に比べて各電極セットの電極部を９０度だけ回転（時計方向）させた状態を維持する。
【００６６】
このような状態で，今回は基準電圧とデータ電圧が前記場合と反対に前記コモン電極とセグメント電極に印加される。
【００６７】
つまり，この第２モードでは，前記セグメント電極である前記第３電極セット（Ｓｅｔ３）及び第４電極セット（Ｓｅｔ４）に基準電圧が印加され（図９Ｂ参照），前記コモン電極である前記第１電極セット（Ｓｅｔ１）又は前記第２電極セット（Ｓｅｔ２）のうちのいずれか一つの電極セット（本実施形態では前記第１電極セット）に前記データ電圧が印加される（図９Ａ参照）。
【００６８】
これにより，この第２モードでは，前記第１電極セット（Ｓｅｔ１）の第１電極２４ｄライン又は前記第２電極セット（Ｓｅｔ２）の第２電極２４ｆラインに対応する液晶が駆動するようになり，その液晶駆動により，前記のように前記光制御機２４の光遮断部と光透過部を設定して，使用者に前記イメージャー２２で実現される映像を３次元映像として提供することができる。ここで，前述の液晶駆動による最終３次元映像の提供過程は，前述した例と同様に行われるので，その詳細な説明は省略する。
【００６９】
このように本実施形態にかかる光制御機２４は，その基板２４ａ，２４ｂ上に形成される電極の構造と印加される電圧方式によって，前記画面部２０がポートレイト又はランドスケープ状態のうちのいずれかの状態を維持しても，その画面状態で実現されるイメージを使用者に３次元として提供できるようになる。
【００７０】
（第２の実施形態）
次に，本発明の第２の実施形態について説明する。
この第２の実施形態において，前述した第１の実施形態より変わる部分は光制御機の部分であって，以下の説明では，便宜上この光制御機については具体的に説明し，他の構成は第１の実施形態の説明に代えることとする。また，便宜上，以下の説明で光制御機を除いた他の構成に対する引用符号を第１の実施形態のものと同一に用いる。
【００７１】
図１０は，第２の実施形態による立体映像表示装置の光制御機を示した断面図である。図示のように，この光制御機４０もまた，液晶の駆動によってイメージャーで実現された映像を左眼用映像と右眼用映像に分離して使用者に提供する構成を有する。
【００７２】
前記光制御機４０の構成は，まず，実質的に平行に配置される２枚の第１基板４０ａと第２基板４０ｂを含む。このうちのいずれか一つの基板，例えば，第１基板４０ａの一面には，この第１基板４０ａの全面で形成される一体型電極４０ｅが形成される（図１１参照）。
【００７３】
前記第２基板４０ｂの前記第１基板４０ａに対向する一面には，前述した例で説明した電極セットのような分枝型電極４０ｃ，４０ｄが形成される。つまり，この分枝型電極４０ｃ，４０ｄもまた，前述した例の電極セットのようにその全体的な形状が櫛形状である。
この分枝型電極４０ｃ，４０ｄは，前記第２基板４０ｂ上に互いに絶縁した状態で多重（本実施形態では２重）配置される。このために，前記分枝型電極４０ｃ，４０ｄの間には絶縁層４０ｆが配置される。
【００７４】
図１２Ａ及び図１２Ｂは，前記分枝型電極４０ｃ，４０ｄの形状を示した平面図である。まず，前記第２基板４０ａ上に形成される第１分枝型電極４０ｃは，前記第２基板４０ｂの短辺方向（Ｘ）に沿って配置される母電極部４００ｃと，この母電極部４００ｃより分かれて前記第２基板４０ｂの長辺方向（Ｙ）に沿って長く配置された，ストライプパターンを有して形成される複数の分岐電極部４０２ｃとを含む。
【００７５】
これに反し，前記第１分枝型電極４０ｃ上に配置される第２分枝型電極４０ｄは，前記第２基板４０ｂの長辺方向（Ｙ）に沿って配置される母電極部４００ｄと，この母電極部４００ｄより分かれて前記第２基板４０ｂの短辺方向（Ｘ）に沿って長く配置された，ストライプパターンを有して形成される複数の分岐電極部４０２ｄとを含む。
【００７６】
もちろん，必要に応じて，前記第１分枝型電極４０ｃと第２分枝型電極４０ｄはその形成パターンを互いに変えて形成することもできる。
【００７７】
この構造で前記第１分枝型電極４０ｃと前記第２分枝型電極４０ｄが前記第２基板４０ｂ上に配置されれば，前記第１分枝型電極４０ｃの分岐電極部４０２ｃと，前記第２分枝型電極４０ｄの分岐電極部４０２ｄとは互いに直交する状態に配置され，マトリックス構造を形成するようになる。
【００７８】
前記第１基板４０ａと前記第２基板４０ｂは，前記一体型電極４０ｅと前記分枝型電極４０ｃ，４０ｄとが互いに対向する状態で結合され，その間には液晶４０ｇが注入される。
前記のように構成される光制御機４０は，図３に示した光制御機の位置に配置されてイメージャー２２から出る光を透過又は遮断し，使用者に前記イメージャーで実現される映像を３次元として提供する。
【００７９】
その作用を画面部１０の第１モード状態と第２モード状態とに分けて見てみると，まず，第１モード状態で前記一体型電極４０ｅには基準電圧が印加され，前記第２基板４０ｂ側には，図１３Ａに示したように，前記第１分枝型電極４０ｃにのみデータ電圧が印加される。
【００８０】
そうなると，前記第１分枝型電極４０ｃの分岐電極部４０２ｃラインに対応する液晶４０ｇが駆動するので，前記イメージャー２２で実現される映像に対する光は，前記のように駆動する光制御機４０の作用によって遮断又は透過することによって左眼用映像と右眼用映像に分離されて使用者の左眼と右眼に各々提供され，したがって，使用者は前記イメージャー２２で実現される映像を最終３次元として感じるようになる。
【００８１】
また，前記画面部１０が第２モードに変換されれば，前記第１基板４０ａの一体型電極４０ｅには基準電圧が印加される反面，前記第２基板４０ｂには前記第１モードとは違って，前記第２分枝型電極４０ｃにデータ電圧が印加される（図１３Ｂ参照）。
【００８２】
つまり，この第２モードでは，前記第２分枝型電極４０ｃが第１モード時の前記第１分枝型電極４０ｃのように前記画面部１０に垂直状態で配置されるので，前記のような電圧印加によって第２分枝型電極４０ｃの分岐電極部４０２ｃのラインに対応する液晶４０ｇが駆動されれば，光遮断部と光透過部が前記第１モード時と同一なパターンになり，したがって，使用者は第２モード時にも，前記イメージャー２２で実現される画像を３次元として何らの障害なしで感じることができる。
【００８３】
以上，本発明の好ましい実施形態について説明したが，本発明はこれに限定されることではなく，特許請求の範囲と発明の詳細な説明及び添付した図面の範囲内で多様に変形して実施することができ，これもまた本発明の範囲に属する。すなわち，当業者であれば，特許請求の範囲に記載された技術的思想の範疇内において各種の変更例または修正例に想到し得ることは明らかであり，それらについても当然に本発明の技術的範囲に属するものと了解される。
【００８４】
例えば，第１の実施形態において，光制御機２４は図１４に示したように光源２０とイメージャー２２との間に配置されることもできる。
【００８５】
また，本発明において，映像が実現されるイメージャーは前述したような液晶表示パネルのみに限定されず，他のディスプレイ，つまり，陰極線管，プラズマディスプレイパネル，電界放出表示装置，及び有機電界発光表示装置などのうちのいずれか一つに選択されることができる。この場合，前記光制御機，つまり，液晶バリアはこのイメージャーの前方に配置される。
【００８６】
さらに，本発明が適用される電子機器もまた，前述の携帯電話などのモバイル用のみに適用されることではなく，図１５に示したように，モニタなどの他の電子機器にも充分に適用できる。
【００８７】
その他，前述した実施形態では，光制御機の第１，第２，第３，及び第４電極をストライプパターンに形成して，前記光透過部と光遮断部が基板の一方向に沿ってストライプパターンに形成されることを例に挙げたが，本発明が必ずこの場合に限られるわけではない。
【００８８】
つまり，前記光透過部と光遮断部は，例えば，前記基板の一方向に沿ってジグザグパターンを維持しながら形成されることができる。この場合，前述した実施形態の光制御機の第１，第２，第３，及び第４電極や分枝型電極の分岐電極は，ストライプパターンではない階段形状やジグザグ（又は蛇行）形状にして，前記光透過部と光遮断部がジグザグパターンを維持するようにすることができる。
【００８９】
このように本発明の光制御機において，光透過部と光遮断部がジグザグパターンを有するようになれば，つまり，基板の一方向に沿って一直線上で交差配置されれば，左眼映像又は右眼映像の実現時，実現イメージの水平解像度を２次元映像と同一に実現することができ，立体映像に対する解像度向上に利点を有する。
【産業上の利用可能性】
【００９０】
本発明は立体映像表示装置，電子機器，及び立体映像表示装置の駆動方法に利用可能であり，特に，液晶バリアタイプの光遮断／透過モジュールを使用して立体映像を実現する立体映像表示装置，電子機器，及び立体映像表示装置の駆動方法に利用可能である。
【図面の簡単な説明】
【００９１】
【図１】電子機器の第１モード状態を示した斜視図である。
【図２】電子機器の第２モード状態を示した斜視図である。
【図３】本発明の第１の実施形態による立体映像表示装置を示した断面図である。
【図４Ａ】イメージャーが有するピクセルパターンを説明するために示した説明図である。
【図４Ｂ】イメージャーが有するピクセルパターンを説明するために示した説明図である。
【図５】本発明の第１の実施形態による光制御機を示した断面図である。
【図６Ａ】本発明の第１の実施形態による電極部を説明するために示した平面図である。
【図６Ｂ】本発明の第１の実施形態による電極部を説明するために示した平面図である。
【図７Ａ】本発明の第１の実施形態による光制御機の第１モード状態に対する駆動状態を説明するために示した説明図である。
【図７Ｂ】本発明の第１の実施形態による光制御機の第１モード状態に対する駆動状態を説明するために示した説明図である。
【図８】本発明の第１の実施形態による立体映像表示装置の作用状態を説明するために示した説明図である。
【図９Ａ】本発明の第１の実施形態による光制御機の第２モード状態に対する駆動状態を説明するために示した説明図である。
【図９Ｂ】本発明の第１の実施形態による光制御機の第２モード状態に対する駆動状態を説明するために示した説明図である。
【図１０】本発明の第２の実施形態による光制御機を示した断面図である。
【図１１】本発明の第２の実施形態による一体型電極を説明するために示した平面図である。
【図１２Ａ】本発明の第２の実施形態による分枝型電極を説明するために示した平面図である。
【図１２Ｂ】本発明の第２の実施形態による分枝型電極を説明するために示した平面図である。
【図１３Ａ】本発明の第２の実施形態による光制御機の第１モード状態に対する駆動状態を説明するために示した説明図である。
【図１３Ｂ】本発明の第２の実施形態による光制御機の第２モード状態に対する駆動状態を説明するために示した説明図である。
【図１４】本発明の変形例による立体映像表示装置を示した説明図である。
【図１５】本発明の他の適用例による電子機器を説明するために示した斜視図である。
【符号の説明】
【００９２】
１  携帯電話
１０  画面部
１２  本体
２０  光源
２２  イメージャー
２４，４０  光制御機
２４ａ，４０ａ  第１基板
２４ｂ，４０ｂ  第２基板
２４ｃ，４０ｇ  液晶
２４ｄ  第１電極
２４ｅ  第１連結電極
２４ｆ  第２電極
２４ｇ  第２連結電極
２４ｈ  第３電極
２４ｉ  第４電極
２４ｊ  第３連結電極
２４ｋ  第４連結電極
４０ｃ，４０ｄ  分枝型電極
４０ｅ  一体型電極
４０ｆ  絶縁層
４００ｃ，４００ｄ  母電極部
４０２ｃ，４０２ｄ  分岐電極部
【図１】
2006119634.tif 000003
【図２】
2006119634.tif 000004
【図３】
2006119634.tif 000005
【図４Ａ】
2006119634.tif 000006
【図４Ｂ】
2006119634.tif 000007
【図５】
2006119634.tif 000008
【図６Ａ】
2006119634.tif 000009
【図６Ｂ】
2006119634.tif 000010
【図７Ａ】
2006119634.tif 000011
【図７Ｂ】
2006119634.tif 000012
【図８】
2006119634.tif 000013
【図９Ａ】
2006119634.tif 000014
【図９Ｂ】
2006119634.tif 000015
【図１０】
2006119634.tif 000016
【図１１】
2006119634.tif 000017
【図１２Ａ】
2006119634.tif 000018
【図１２Ｂ】
2006119634.tif 000019
【図１３Ａ】
2006119634.tif 000020
【図１３Ｂ】
2006119634.tif 000021
【図１４】
2006119634.tif 000022
【図１５】
2006119634.tif 000023